(57)【要約】【課題】  従来のコード巻き取り器では、装置内でコードが不自然な形に重なり合ってしまい、コードを引き出す際に絡まり易いという問題点があり、本発明は、コードの引き出し方向に応じて、装置内でコードを分けて整然と収納でき、引き出しの際のコードの繰り出しをスムーズに行うことができる巻き取り装置を提供する。【解決手段】  開口周縁部に直径方向に相対して上段用導通口２１及び下段用導通口２２を備えたケース２と、直径方向にコード挿入用のスリット状の切り込み部１２を備え、中心部に前記ケースに収納される軸部１１が形成されケース２の開口周縁部に冠される蓋部１と、略円盤状で、軸部と係合する取り付け孔１６と半径方向に形成された切り欠き部１４とを備えたしきり板が、切り欠き部１４と蓋部１の切り込み部１２が同じ方向になるよう軸部１１の中程に取り付けられている巻き取り装置である。【選択図】        図１
2006036390.tif 000002
【特許請求の範囲】
【請求項１】
底面を備え、一端が開口した略円筒形で、開口周縁部に直径方向に相対するコード導通口を備えたケースと、略円柱状で、直径方向にコード挿入用のスリット状の切り込み部を備え、中心部に前記ケースに収納される軸部が形成され、前記ケースの開口周縁部に冠される蓋部とを有する巻き取り装置であって、
略円盤状の形状で、前記軸部が貫通し前記軸部と係合する取り付け孔と、半径方向に形成された切り欠き部とを備えたしきり板が、当該切り欠き部と前記蓋部に設けられた切り込み部とが同じ方向になるよう前記軸部の中程に取り付けられていることを特徴とする巻き取り装置。
【請求項２】
相対するコード導通口が、ケースの開口周縁部から底面方向に向かって形成された切り欠きであり、一方は、蓋部を冠した状態でしきり板の位置まで形成された短い方のコード導通口であり、他方は、蓋部を冠した状態でしきり板の位置より底面方向に深く切り欠いて形成された長い方のコード導通口であることを特徴とする請求項１記載の巻き取り装置。
【請求項３】
長い方のコード導通口は、ケース底面寄りの端部が、ケース底面の円周方向に沿って広がって形成されているコード導通口であることを特徴とする請求項２記載の巻き取り装置。
【請求項４】
しきり板の切り欠き部と同じ方向の軸部の側面にコードを導く溝部を設けたことを特徴とする請求項１乃至請求項３記載の巻き取り装置。
【請求項５】
底面を備え、一端が開口した略円筒形で、開口周縁部に直径方向に相対するコード導通口を備えたケースと、略円柱状で、直径方向にコード挿入用のスリット状の切り込み部を備え、中心部に前記ケースに収納される軸部が形成され、前記ケースの開口周縁部に冠される蓋部とを有する巻き取り装置であって、
略円盤状の形状で、前記軸部が貫通する貫通孔と、半径方向に形成された切り欠き部と、前記ケース内壁に係合する取り付け部とを備えたしきり板が、当該切り欠き部と前記ケースに設けられたコード導通口とが同じ方向になるよう前記ケース内壁の中程に取り付けられていることを特徴とする巻き取り装置。
【請求項６】
相対するコード導通口が、ケースの開口周縁部から底面方向に向かって形成された切り欠きであって、少なくとも一方が、しきり板の位置より底面方向に深く切り欠いて形成された長い方のコード導通口であり、
前記しきり板が、切り欠き部と前記長い方のコード導通口とが同じ方向になるよう取り付けられていることを特徴とする請求項５記載の巻き取り装置。
【請求項７】
蓋部に設けられた切り込み部の一端と同じ方向の軸部の側面にコードを導く溝部を設けたことを特徴とする請求項５又は請求項６記載の巻き取り装置。
【請求項８】
蓋部の切り込み部の一方の端部付近に「下」を示す文字若しくはマーク、又は／及び他方の端部付近に「上」を示す文字若しくはマークを付したことを特徴とする請求項１乃至請求項７記載の巻き取り装置。
【発明の詳細な説明】
【技術分野】
【０００１】
本発明は、コードやケーブルを巻き取って適切な長さに調節する巻き取り装置に係り、特にコードを引き出し方向別に分けて装置内に整然と収納して、巻き取り状態からのコードの繰り出しを容易に行うことができる巻き取り装置に関する。
【背景技術】
【０００２】
各種電気製品の電源コードや接続コード、中継コード等は必要十分な長さとなっている場合が最も使い勝手がよく、長すぎる場合には邪魔になるため、余分な部分を折り返して束ねて、ゴムバンドや針金入りのリボンで縛っておくといったことが行われていた。
【０００３】
しかし、この方法では、コードを束ねたり縛ったりする作業が煩雑であり、更に、一旦束ねたコードを再び長くして使いたい場合にも同じくらいの手間がかかり、面倒であるという問題点があった。
【０００４】
そこで、従来技術として、余分なコードを容易に巻き取り、巻き戻しも容易に行うことができるコード巻き取り器が提案されている（特許文献１参照）。
特許文献１記載のコード巻き取り器は、有底筒型のシェルの開口周縁部に、切り欠き部を直径方向に相対して形成すると共に、底部中心に軸孔を穿設してなるシェルと、シェル内に回転可能に収納して中心部に筒軸を形成した巻き取りディスクと、筒軸に係合する軸部を中心に形成して軸部と一体の連結部を挟んで円盤体を直径方向で二分割して形成されるスリット開口からなるコード挿入溝を備えてシェルに冠する略円盤状の巻き取りキャップと、筒軸と軸部をシェルに回転可能に装着する抜止めキャップとから成るものであり、コード挿入溝と切り欠き部とを合わせてコードをはめ込み、巻き取りキャップを回転させてコード余長をシェル内に巻き取るものである。
【０００５】
【特許文献１】特許公報  第２９８６４５８号公報（第２−５頁）
【発明の開示】
【発明が解決しようとする課題】
【０００６】
しかしながら、従来のコード巻き取り器では、単に巻き取りキャップを回転させてコードを軸に巻き付けるだけであったため、装置内でコードが不自然な形に重なり合ってしまい、切り欠き部から装置の両側に延びているコードを持って両側に引っ張って引き出す際に絡まり易いという問題点があった。
【０００７】
本発明は上記実情に鑑みて為されたもので、コードの引き出し方向に応じて、装置内でコードを分けて整然と収納でき、引き出しの際のコードの繰り出しをスムーズに行うことができる巻き取り装置を提供することを目的とする。
【課題を解決するための手段】
【０００８】
上記従来例の問題点を解決するための本発明は、底面を備え、一端が開口した略円筒形で、開口周縁部に直径方向に相対するコード導通口を備えたケースと、略円柱状で、直径方向にコード挿入用のスリット状の切り込み部を備え、中心部にケースに収納される軸部が形成され、ケースの開口周縁部に冠される蓋部とを有する巻き取り装置であって、略円盤状の形状で、軸部が貫通し軸部と係合する取り付け孔と、半径方向に形成された切り欠き部とを備えたしきり板が、当該切り欠き部と蓋部に設けられた切り込み部とが同じ方向になるよう軸部の中程に取り付けられている巻き取り装置としており、しきり板によってケース内部の空間を二分して、コードをしきり板の上段と下段に分けて整然と収納することができ、また、コードを蓋部の切り込み部から装置内に押し込んで挿入する際に、しきり板の切り欠き部から下段に容易に落とし込むことができる。
【０００９】
また、本発明は、相対するコード導通口が、ケースの開口周縁部から底面方向に向かって形成された切り欠きであり、一方は、蓋部を冠した状態でしきり板の位置まで形成された短い方のコード導通口であり、他方は、蓋部を冠した状態でしきり板の位置より底面方向に深く切り欠いて形成された長い方のコード導通口である巻き取り装置としており、短い方のコード導通口から装置内部に挿入されたコードをしきり板の上部の軸部に導いて上段に巻き取り、長い方のコード導通口から装置内に挿入されたコードをしきり板の下部の軸部に導いて下段に巻き取ることができ、コードを引き出し方向に応じて整然と巻き取ることができる。
【００１０】
また、本発明は、長い方のコード導通口が、ケース底面寄りの端部が、ケース底面の円周方向に沿って広がって形成されている巻き取り装置としており、長いコード導通口から挿入されるコードは、開口周縁部寄りの狭い部分よりも、広くなったケース底面寄りの部分を通り易いので、しきり板の下部に導くことができ、ケース下段に巻き取ることができる。
【００１１】
また、本発明は、しきり板の切り欠き部と同じ方向の軸部の側面にコードを導く溝部を設けた巻き取り装置としており、コードを溝部に沿って導いて軸部に巻き付き易くすることができ、また、コードの巻き始め部分が盛り上がるのを抑えてコードをコンパクトに収納することができる。
【００１２】
また、本発明は、底面を備え、一端が開口した略円筒形で、開口周縁部に直径方向に相対するコード導通口を備えたケースと、略円柱状で、直径方向にコード挿入用のスリット状の切り込み部を備え、中心部にケースに収納される軸部が形成され、ケースの開口周縁部に冠される蓋部とを有する巻き取り装置であって、略円盤状の形状で、軸部が貫通する貫通孔と、半径方向に形成された切り欠き部と、ケース内壁に係合する取り付け部とを備えたしきり板が、当該切り欠き部とケースに設けられたコード導通口とが同じ方向になるようケース内壁の中程に取り付けられている巻き取り装置としており、しきり板によってケース内部の空間を二分して、コードをしきり板の上段と下段に分けて整然と収納することができる。
【００１３】
また、本発明は、相対するコード導通口が、ケースの開口周縁部から底面方向に向かって形成された切り欠きであって、少なくとも一方が、しきり板の位置より底面方向に深く切り欠いて形成された長い方のコード導通口であり、しきり板が、切り欠き部と長い方のコード導通口とが同じ方向になるよう取り付けられている巻き取り装置としており、装置内に挿入されたコードをしきり板の切り欠き部から下段に落とし込んで、長いコード導入口に導くことができる。
【００１４】
また、本発明は、蓋部の切り込み部の一方の端部付近に「下」を示す文字若しくはマークを付し、又は／及び他方の端部付近に「上」を示す文字若しくはマークを付した巻き取り装置としており、しきり板の切り欠き部の位置または軸部の溝部の位置がすぐに分かるので、ケースのコード導通口に容易に合わせることができ、使い勝手を向上させることができる。
【発明の効果】
【００１５】
本発明によれば、軸部が貫通し軸部と係合する取り付け孔と、半径方向に形成された切り欠き部とを備えた略円盤状のしきり板が、当該切り欠き部と蓋部に設けられた切り込み部とが同じ方向になるよう軸部の中程に取り付けられている巻き取り装置としているので、しきり板によってケース内部の空間を二分して、コードをしきり板の上段と下段に分けて整然と収納することができ、また、コードを蓋部の切り込み部から装置内に押し込んで挿入する際に、しきり板の切り欠き部から下段に容易に落とし込むことができる効果がある。
【００１６】
また、本発明によれば、相対するコード導通口の一方は、しきり板の位置まで形成された短い方のコード導通口であり、他方は、しきり板の位置より底面方向に深く切り欠いて形成された長い方のコード導通口である巻き取り装置としているので、短い方のコード導通口から装置内部に挿入されたコードをしきり板の上部の軸部に導いて上段に巻き取り、長い方のコード導通口から装置内に挿入されたコードをしきり板の下部の軸部に導いて下段に巻き取ることができ、コードを引き出し方向に応じて整然と巻き取ることができ、引き出し時にコードが絡まるのを防ぎ、コードをスムーズに引き出すことができる効果がある。
【００１７】
また、本発明によれば、長い方のコード導通口が、ケース底面寄りの端部が、ケース底面の円周方向に沿って広がって形成されている巻き取り装置としているので、長いコード導通口から挿入されるコードは、開口周縁部寄りの狭い部分よりも、広くなったケース底面寄りの部分を通り易いので、しきり板の下部に導くことができ、ケース下段に巻き取ることができる効果がある。
【００１８】
また、本発明によれば、しきり板の切り欠き部と同じ方向の軸部の側面にコードを導く溝部を設けた巻き取り装置としているので、コードを溝部に沿って導いて軸部に巻き付き易くすることができ、また、コードの巻き始め部分が盛り上がるのを抑えてコードをコンパクトに収納することができる効果がある。
【００１９】
また、本発明は、底面を備え、一端が開口した略円筒形で、開口周縁部に直径方向に相対するコード導通口を備えたケースと、略円柱状で、直径方向にコード挿入用のスリット状の切り込み部を備え、中心部にケースに収納される軸部が形成され、ケースの開口周縁部に冠される蓋部とを有する巻き取り装置であって、略円盤状の形状で、軸部が貫通する貫通孔と、半径方向に形成された切り欠き部と、ケース内壁に係合する取り付け部とを備えたしきり板が、当該切り欠き部とケースに設けられたコード導通口とが同じ方向になるようケース内壁の中程に取り付けられている巻き取り装置としており、しきり板によってケース内部の空間を二分して、コードをしきり板の上段と下段に分けて整然と収納することができ、コードを引き出し方向に応じて整然と巻き取ることができ、引き出し時にコードが絡まるのを防ぎ、コードをスムーズに引き出すことができる効果がある。
【００２０】
また、本発明は、相対するコード導通口が、ケースの開口周縁部から底面方向に向かって形成された切り欠きであって、少なくとも一方が、しきり板の位置より底面方向に深く切り欠いて形成された長い方のコード導通口であり、しきり板が、切り欠き部と長い方のコード導通口とが同じ方向になるよう取り付けられている巻き取り装置としているので、装置内に挿入されたコードをしきり板の切り欠き部から下段に落とし込んで、長いコード導入口に導くことができる効果がある。
【００２１】
また、本発明は、蓋部の切り込み部の一方の端部付近に「下」を示す文字若しくはマークを付し、又は／及び他方の端部付近に「上」を示す文字若しくはマークを付した巻き取り装置としているので、しきり板の切り欠き部の位置または軸部の溝部の位置がすぐに分かるので、ケースのコード導通口に容易に合わせることができ、使い勝手を向上させることができる効果がある。
【発明を実施するための最良の形態】
【００２２】
本発明の実施の形態について図面を参照しながら説明する。
本発明の巻き取り装置は、開口周縁部の直径方向に相対する位置にコード導通口としての切り欠きを設けた円筒型のケースと、中心にコード巻き取り用の軸を備え、直径方向にスリット状の切り込み部が形成された蓋部とを備え、蓋部の軸がケース内部に収納される巻き取り器であって、コード導入口の一方を長く、他方を短く形成し、また、略扇形の切り欠き部を備えた仕切り板が、軸部の長さ方向の中程の位置に、当該切り欠き部が蓋部の切り込み部の一端と一致するよう取り付けられたものであり、仕切り板によってケース内の空間を底面にほぼ平行に２分することができ、蓋部の切り込み部の上からコードを押し込むと、コードの一方の部分は仕切り板の上を通ってケースの短いコード導通口から装置の外部に延び、他方の部分は仕切り板の切り欠き部からケースの底部付近まで下りて、ケースの長いコード導通口から装置の外部に延びるため、この状態でケース又は蓋部を円周方向に回転させると、軸を中心にしてコードの一方をしきり板の上部の軸部周囲に巻き取り、他方をしきり板の下部の軸部周囲に巻き取ることができ、コードを引き出し方向に応じてケース内に分けて整然と収納して、コードの一方の端部寄りの部分と他方の端部寄りの部分とを持って左右に引っ張って引き出す時にコードが絡まるのを防ぎ、スムーズな引き出しを可能とするものである。
【００２３】
図１は、本発明の実施の形態に係る巻き取り装置の斜視図である。
本実施の形態の巻き取り装置は、図１に示すように、略円筒形のケース２と、ケース２の上部を覆う蓋部１とから構成されている。ケース２及び蓋部１の材質は、特に制限はないものの、成型が容易なプラスチック等が考えられる。
【００２４】
蓋部１は、短円柱状の形状であり、コードを挿入する略Ｖ字のスリット状の切り込み部１２が、直径方向に形成されている。また、蓋部１の中心には、コードを巻き取る略円柱状の軸部１１が蓋部１と一体に形成されており、軸部１１は、ケース２の内部に収納されるよう形成されている。そして、蓋部１の切り込み部１２は、軸部１１の長さ方向の中程まで達して形成されている。
【００２５】
これにより、使用時には、巻き取りを所望するコードを蓋部１の上部から切り込み部１２に載せて、切り込み部１２の両端のコードを持って切り込み部１２から装置内部に押し込むことにより、コードを軸部１１の中程まで容易に挿入することができるものである。
【００２６】
そして、図１では省略されているが、軸部１１の長さ方向の中央部には、中心に軸部１１が貫通する貫通孔が設けられた略円盤形のしきり板が取り付けられている。このしきり板がケース２内の空間を上下に（底面にほぼ平行に）２分割するものとなっている。しきり板については、図２を用いて後で説明する。
【００２７】
また、ケース２は、底面を備えた略円筒状の形状であり、開口部の周縁部には、直径方向に相対してコードを取り出す導通口２１、２２を備えている。上段用導通口２１はケース２の開口周縁部から側面の半分程度の位置まで略Ｕ字型に切り欠いて形成されている。また、下段用導通口２２は、上段用導通口２１とはケース２の直径方向に相対する位置に設けられており、ケース２の開口部の縁から側面の半分程度の位置までは上段用導通口２１と同様の幅で形成され、更にケース２の底面方向に延びて深く切り欠かれ、ケース２の底面に近い端部では、底面の円周方向に広がった形状に形成されている。
【００２８】
また、図では省略されているが、ケース２の底面の中央には、軸部１１と係合するキャップが挿入される穴（固定穴）が設けられており、ケース２の底面の外側から挿入されたキャップと軸部１１とが係合することにより、軸部１１を含む蓋部１が、ケース２に回転摺動可能に固定されている。
【００２９】
次に、本装置のしきり板について図２を用いて説明する。図２は、本装置のしきり板１３の平面図である。
図２に示すように、しきり板１３は、中心部に軸部１１が貫通する円形の貫通孔である取り付け孔１６が設けられた円盤状の板であり、ケース２の内部に収納可能且つ軸部１１と一体になってケース２内部で回転可能な大きさに形成されているものである。また、しきり板１３の一部は略扇形に切り欠かれて、切り欠き部１４が形成されている。切り欠き部１４は、蓋部１の切り込み部１２から装置内に挿入されたコードの一端側をしきり板１３の下のケース下段に導くための穴となるものである。しきり板１３は、プラスチック等の素材で形成され、弾性的に変形可能なものとなっている。
【００３０】
そして、しきり板１３は、取り付け孔１６に軸部１１が挿入されて固定されることによって、軸部１１に取り付けられるものであり、取り付け孔１６の形状及び大きさは、軸部１１の形状及び径の大きさに応じたものとなっている。
【００３１】
取り付け孔１６の周縁部には、軸部１１への取り付けを容易にするために、径方向に数ミリメートル長さの切り込みを複数備えた取り付け部１７が設けられている。しきり板１３は、切り込み部１５によって軸部１１に弾性的に係合することにより取り付け可能となるものである。尚、取り付け部１７に数個のツメを形成し、軸部１１側に当該ツメと嵌合する凹部を形成しておけば、しきり板１３のツメを軸部１１の凹部と嵌合させることにより、より確実に固定して取り付けられるものである。
【００３２】
尚、図２ではしきり板１３の切り欠き部１４の形状を略扇形としたが、コードが通る形状であればこれに限るものではなく、例えばやや幅の広いスリット状の切り欠きを半径方向に平行に形成してもよい。
【００３３】
次に、軸部１１としきり板１３との関係とケース２について図３を用いて説明する。図３（ａ）は、本装置のしきり板１３を軸部１１に取り付けた状態を示す斜視図であり、（ｂ）は、ケース２の斜視図である。尚、図を見易くするために、図３（ａ）では本来軸部１１の上部に一体に形成されている蓋部１を省略している。
図３（ａ）に示すように、軸部１１の直径方向には、蓋部１と接合する端部から軸部１１の長さ方向（図３では縦方向）に、蓋部１の切り込み部１２につながってスリット状の切り込み部１２′が形成されている。切り込み部１２′は、軸部１１の長さ方向の半分程度の位置まで形成されている。
【００３４】
また、軸部１１の側面には、切り込み部１２′の一端に接して逆Ｙ字型の溝部１５が形成されている。溝部１５は、下段に巻き取られるコードを導く溝であり、コードの巻き取り時に、蓋部１の回転方向に応じて、Ｙ字の脚の部分から二股になった溝の一方に沿ってコードが巻き取られるものである。
【００３５】
つまり、図３（ａ）の例では、軸部１１と一体に形成された蓋部１（図示せず）が、時計回りに回された場合には、軸部１１の回転方向も時計回りとなり、切り込み部１２′から下方向に延びた巻き始めのコードは、二股に分かれた溝部１５の向かって右側の溝に沿って巻き取られる。
【００３６】
反対に、蓋部１が反時計回りに回された場合には、軸部１１の回転方向も反時計回りとなり、巻き始めのコードは溝部１５の向かって左側の溝に沿って巻き取られることになる。
【００３７】
溝部１５を設けることにより、下段に巻き取られるコードの巻き始め部分の盛り上がりを抑え、コードをコンパクトに収納可能とするものである。
【００３８】
尚、ここでは軸部１１を円筒形状としているが、断面が円形でなくてもよく、例えば、円筒の一部を中心軸に平行な面で切断して切除した形状として、軸部１１の厚さを小さくしても構わない。
【００３９】
また、軸部１１の、切り込み部１２′と反対の端部に近い側面上には、ケース２の底面から挿入されたキャップと係合する凸部である係合部１１ａが設けられている。
【００４０】
そして、図３（ａ）に示すように、しきり板１３は、中央の取り付け孔１６に軸部１１を貫通させ、軸部１１の長さ方向の中程で固定されて取り付けられている。ここで、しきり板１３は、プラスチック等のたわむ素材で形成されているので、たわませながら軸部１１に通すことが可能である。
【００４１】
また、しきり板１３は、切り欠き部１４が軸部１１の溝部１５に一致するような位置、つまり、溝部１５が切り欠き部１４の扇形の内側に入る位置に取り付けられている。これは、切り込み部１２′に挿入されたコードを、しきり板１３の切り欠き部１４から、しきり板の下側（下段）に引き入れて、更に、そこから溝部１５に沿って巻き取るためである。
【００４２】
また、図３（ｂ）に示すように、ケース２の開口周縁部には、直径方向に相対する位置に、上段用導通口２１と下段用導通口２２とが設けられている。
上段用導通口２１は、蓋部１（軸部１１を含む）をケース２に冠した際に、しきり板１３によって仕切られるケース２内部の空間の内、上段に相当する位置だけに開口するよう、ケース２の周縁から側面の約半分の位置まで開口して形成されているものである。
【００４３】
また、図３（ｂ）に示すように、ケース２の側面に設けられた下段用導通口２２は、ケース２の底面近くで横方向（底面の円周方向）に広がった形状に形成されている。これは、コードを巻き取る際、蓋部１（軸部１１を含む）を回転させると、軸部１１の下段に巻き取られたコードが下段用導通口２２から外に延びて、回転の方向に応じてコードが引っ張られることにより、導通口の縁にコードが触れて巻き取りを妨げるのを防ぎ、スムーズにコードを巻き取っていくことができるようにしているものである。
【００４４】
尚、本装置では下段用導通口２２の広がった部分の形状は略楕円形としているが、これに限るものではなく、例えば、略円形であってもよい。また、細めのコードを巻き取ることを想定している場合等、コードの巻き取りに支障がないと考えられる場合には、下段用導通口２２を上段用導通口２１と同様のＵ字型に形成して、広がった部分を設けないようにしてもよい。
【００４５】
更に、本装置では上段用導通口２１と下段用導通口２２との形状を変えて、上段に巻き取られるコードが下段に落ちにくいよう好適な形状としているが、製造を簡略化するために、上段用導通口２１と下段用導通口２２とを同じ形状として、底面付近まで深く形成することも可能である。また、両方とも底面付近で広がった形状としても構わない。
【００４６】
このように上段用導通口２１を下段用導通口２２と同様の形状に形成すれば、使用時に蓋部１を回転してセットする際に、ケース２の下段用導通口２２を意識することなくセットできるものである。
【００４７】
また、図３（ｂ）に示すように、ケース２の底面には、中心に固定穴２３が設けられている。固定穴２３の径及び形状は、後で図６を用いて説明するが、ケース２の裏面から挿入されるキャップの脚部分が通過可能であり、且つキャップの頭部分は通過できない大きさ及び形状としている。
【００４８】
そして、本装置にコードを挿入する際には、図３（ａ）のように軸部１１にしきり板１３を取り付けた蓋部１をケース２の開口周縁部上に冠して用いるものであるが、このとき、蓋部１の切り込み部１２の両端がケース２の上段用導通口２１及び下段用導通口２２と一致するように載せるものである。
【００４９】
これにより、蓋部１の切り込み部１２の一端と、しきり板１３の切り欠き部１４と、ケース２の下段用導入口２２とが同じ方向に重なって位置し、反対側では切り込み部１２の他端と、ケース２の上段用導通口２１とが同じ方向に重なって位置することになる。
【００５０】
この様子を、図４を用いて説明する。図４は、本装置を蓋部１の方向から見た上面図である。
図４に示すように、本装置を蓋部１の方向（上方向）から見ると、蓋部１と、しきり板１３とケース２とが重なっており、軸部１１の周囲にしきり板１３が取り付けられ、且つ、しきり板１３の切り欠き部１４が蓋部１の切り込み部１２の一方の端に一致するように取り付けられていることがわかる。図４では示されていないが、この部分に相当するケース２の側面に、下段用導通口２２が設けられるようにセットするものである。
【００５１】
次に、本装置の組立方法について図５を用いて説明する。図５は、本装置の分解説明図である。
図５に示すように、本装置は、一体に形成された蓋部１及び軸部１１と、軸部１１の長さ方向の中程に、溝部１５に切り欠き部１４が一致するように取り付けられているしきり板１３と、ケース２と、キャップ３１とが上下方向に重なって組み立てられる。
【００５２】
軸部１１にしきり板１３が取り付けられた蓋部１をケース２の開口周縁部に冠すると、蓋部１と一体に形成された軸部１１は、ケース２の内部に収納され、それに伴って、しきり板１３がケース２内部の空間を上下に２分割するよう設置されることになる。
【００５３】
そして、最後に、ケース２の底面の裏面（外側）からキャップ３１を挿入して、キャップ３１の係合部３１ａを軸部１１の係合部１１ａと弾性的に係合させることにより、軸部１１と一体に形成された蓋部１が、ケース２に摺動回転可能に固定されるものである。
【００５４】
キャップ３１は、プラスチック等の素材で形成されており、脚の部分はケース２の固定穴２３を貫通可能で且つ軸部１１と係合するように形成され、頭の部分は固定穴２３の径よりも大きく形成されて、蓋部１がケース２から抜けないように固定できるようになっている。
【００５５】
次に、本装置の使用方法について図１及び図６を用いて説明する。図６は、本装置の使用状態を示した断面説明図である。
使用方法について説明する前に、ケース２の底面に設けられた固定穴２３と、キャップ３１との関係について説明する。
【００５６】
固定穴２３は、図６に示すように、円形の貫通孔２３ａと、貫通孔２３ａの周縁部に設けられた円形の凹部２３ｂとから形成されている。すなわち、円形の凹部２３ｂの中に貫通孔２３ａが穿たれているものである。
【００５７】
凹部２３ａの径の大きさは、キャップ３１の頭部分より大きく形成され、また、凹部２３ａの深さは、キャップ３１の頭部分の厚さ程度としている。これにより、キャップ３１の脚部分を、固定穴２３の貫通孔２３ａを通して軸部１１と係合させたときに、キャップ３１の頭部分が、円形の凹部２３ｂにはまって収納されるものである。
【００５８】
ここで、凹部２３ｂの深さはキャップ３１の頭部分の厚さ程度としているので、キャップ３１がケース２の底面から突出せず、底面を平坦な形状とすることができ、装置を安定させることができるものである。
【００５９】
次に、本装置の使用方法について説明する。
まず、ユーザは、軸部１１に取り付けられたしきり板１３の切り欠き部１４が下段用導通口２２の方向と一致するように、蓋部１を回して切り込み部１２の一端が下段用導通口２２と一致するようセットする。こうすることにより、コードの一方を切り欠き部１４を介して下段に誘導するものである。
【００６０】
尚、蓋部１の切り込み部１２の端部付近に、しきり板１３の切り込み部１４がある方に「下」を示す文字またはマークを付しておくと、蓋部１を回してセットする際に、切り込み部１２のどちらの端部を下段用導通口２２に合わせればよいのか分かり易く、使い勝手を向上させることができる。つまり、ユーザは、切り込み部１２や導通口２１、２２から覗いてみなくても、「下」を示す文字又はマークのついた端部を下段用導通口２２に合わせればよい。また、反対の端部付近に「上」を示す文字又はマークを付しても構わない。
【００６１】
そして、ユーザは、巻き取りを所望するコードを、図１に示した本装置の蓋部１の上部から切り込み部１２の上に置き、切り込み部１２の両側のコードを持って、切り込み部１２から装置内にコードを押し込む。
【００６２】
すると、コードは軸部１１の切り込み部１２′部分まで押し込まれ、軸部１１を中心として一方の端部側のコードはしきり板１３の上に載って上段用導通口２１から装置の外に延びた状態となる。上段用導通口２１から外に向かって延びているコードは、ケース２の上段に巻き取られるコードとなる。
【００６３】
また、挿入されたコードの内、軸部１１を中心として他方の端部側のコードは、しきり板１３の切り欠き部１４から下段にまで押しこまれ、下段用導通口２２の広くなった部分から装置の外に延びており、この部分はケース２の下段に巻き取られるコードとなる。
【００６４】
コードを装置内に挿入する際には、装置内の、軸部１１と上段用導通口２１又は下段用導通口２２との間でコードがたるまないように注意する。たるみがあると、整然とコードを巻き取ることができず、コードを引き出す際に絡まりやすい。特に、下段に巻き取るコードがたるんで上段部分にまで盛り上がっていると、巻き取りの途中から上段に移って巻き取られることがあるので注意する。巻き始める前には装置内のコードがほぼ一直線に伸びていることが望ましい。また、下段用導通口２２からコードを外部に出す際には、下段用導通口２２の広がった部分までしっかりと落とし込むようにするとよい。
【００６５】
そして、この状態になったら、蓋部１又はケース２を任意の方向に摺動回転させる。すると、軸部１１の回転に応じて、上段のコードは軸部１１のしきり板１３よりも上部に巻きつき、下段のコードは軸部１１の下部に巻きつく。下段のコードは、軸部１１の溝部１５に沿うことにより軸部１１に巻きつきやすくなっている（図６参照）。
【００６６】
図６に示すように、軸部１１が回転して、コードが一旦巻き取られ始めると、上段のコードは、軸部１１の上部と上段用導通口２１によって保持されるため、継続して上段に重ねられて巻き取られていく。巻き始めから軸部１１が１８０度回転すると、しきり板１３の切り欠き部１４が上段用導通口２１に一致するところに来るが、上段用導通口２１はしきり板１３の上段に相当する位置までしか開口しておらず、また、上段に巻き取られつつあるコードは、軸部１１と上段用導通口２１との間にある程度の張力を持っているので、切り欠き部１２から下段に落ち込むことはない。このため、一旦上段に入ったコードは順次上段だけに巻き取られていくものである。
【００６７】
同様に、一旦下段に巻き取られたコードは、軸部１１の下部と下段用導通口２２の広くなった部分によって保持されているので、軸部１１の回転に伴って順次ケース２の下段に重ねられて引き込まれて巻き取られていく。図６の例は、軸部１１と一体になった蓋部１を反時計回りに回転させた場合を示している。
【００６８】
そして、コードを引き出す際には、上段用導通口２１及び下段用導通口２２近くのコードを持って横方向に引っ張ることにより、軸部１１が逆向きに回転して、上段に収納されているコードは上段用導通口２１から装置の外に引き出され、下段に収納されているコードは下段用導通口２２から装置の外に引き出される。つまり、反対方向に引き出されるコードは、ケース２の上段と下段に分かれて収納されているので、反対方向に引き出されるコードが互いに重なり合って絡まってしまうことがなく、スムーズに引き出すことができるものである。
このようにして、本装置が使用されるものである。
【００６９】
本装置によれば、一端が開口した略円筒形で、開口周縁部に直径方向に相対してコードを導通する上段用導通口２１及び下段用導通口２２を備えたケース２と、略円柱状で、直径方向にスリット状の切り込み部１２を備え、中心部にコードを巻き取る細円柱状の軸部１１が一体に形成され、ケース２の開口部に冠される蓋部１とから成る巻き取り装置であって、軸部１１の中程に、略扇形の切り欠き部１４を備えたしきり板１３が取り付けられた巻き取り装置としているので、長すぎるコードを簡単に装置内に巻き取って収納することができ、また、ケース２内の空間を底面に平行に２分割して、蓋部１の切り込み部１２と、しきり板１３の切り欠き部１４と、ケース２の下段用導通口２２とが同じ方向に位置するようにセットして、切り込み部１２の上からコードを本装置内に押し込むと、一方の端部側のコードは、切り欠き部１４からケース２のしきり板１３の下側（下段）に挿入されて下段用導通口２２から外に延び、他方の端部側のコードは、しきり板１３の上に載って、ケース２の上段に挿入されて上段用導通口２１から外に延びるため、軸部１１と一体になった蓋部１をケース２に相対的に回動させると、上段用導通口２１から装置内に導入されるコードはケース２の上段に巻き取られ、下段用導通口２２から導入されるコードは下段に巻き取られるので、コードをケース２内で方向別に分けて整然と収納することができ、装置の両端のコードを引っ張ってコードを引き出す際に、反対方向に引き出されるコード同士が重なることがないため、装置内でコードが絡まるのを防ぎ、スムーズに引き出すことができる効果がある。
【００７０】
また、本装置によれば、上段用導通口２１を、ケース２の開口周縁部から上段に相当する位置まで切り欠いて形成しているので、上段用導通口２１から導入されるコードを順次上段に巻き取ることができ、コードを整然と収納することができる効果がある。
【００７１】
また、本装置によれば、下段用導通口２２を、ケース２の開口周縁部から上段に相当する位置までは細長く形成して、下段に相当する位置で底面の円周方向に広がった形状に切り欠いて形成しているので、下段用導通口２２から導入されるコードを上段側に移りにくくして、順次下段に巻き取ることができ、コードを整然と収納することができる効果がある。
【００７２】
また、本装置によれば、軸部１１の、しきり板１３の切り欠き部１４側の側面に、逆Ｙ字型の溝部１５を形成しているので、コードの巻き取り始めの際に、下段に巻かれるコードを溝に沿って導くことができ、更に、巻き始めのコードの盛り上がりを抑え、コンパクトに収納可能とする効果がある。
【００７３】
更にまた、本装置によれば、しきり板の切り欠き部１４がある方の、蓋部１の切り込み部１２の端部付近に「下」を示す文字又はマークを付けるようにしているので、ユーザが本装置を使用する際には、「下」のマークがついた切り込み部１２の一端を、ケース２の下段用導通口２２一致させるように蓋部１を回転させてセットすればよく、セットが容易になり、使い勝手を向上させることができる効果がある。
【００７４】
更に、本装置では、しきり板１３を軸部１１に係合させて固定するものを示したが、しきり板１３をより大きく形成して、しきり板１３の外縁部をケース２の内壁に係合させて固定するようにしてもよい。その場合、しきり板１３の中心部の穴は軸部１１と係合させず、その直径は軸部１１の直径よりも大きく形成して、軸部１１の回転を妨げないようにする。そして、しきり板１３は、切り欠き部１４の位置が下段用導通口２２と一致するようにケース２の内壁に取り付けられるものである。
【００７５】
取り付け方としては、ケース２の内壁側に数個の凹部を設け、しきり板の外縁部には取り付け部としてケース２側の凹部に係合する凸部を設けておき、しきり板の凸部をケース２内壁の凹部に弾性的に係合させることにより取り付ける方法がある。
【００７６】
このように、しきり板１３を軸部１１ではなくケース２内壁に取り付けた場合でも、ケース２内の空間を２分することができ、また、コード挿入時に軸部１１と一体に形成された蓋部１を回転させて、切り込み部１２と、ケース２に固定されたしきり板１３の切り欠き部１４とが同じ方向にくるようにセットすれば、軸部１１の溝部１５もその方向にくるため、コードの一端側が溝部１５を通ってしきり板１３の切り欠き部１４からケース２の下段用導通口２２に導かれ、また、コードの他端側はしきり板１３の上から上段用導通口２１に導かれるので、上述した装置と同様に、コードの引き出し方向に応じて、装置内でコードを分けて整然と収納することができ、引き出し時にコードが絡まるのを防ぎ、スムーズに引き出すことができる効果がある。
【００７７】
また、本装置によれば、コードが挿入された部分を中心に、上段と下段で軸部１１を中心として、しきり板１３によって上下に軸に対して垂直に重ね巻き取られていくようになるため、上段と下段で巻き取られるコードの長さが同じにできる効果がある。
【００７８】
また、図６に示すように、本装置によれば、上段用導通口２１及び下段用導通口２２のガイドによって軸部１１を中心に同軸上に、コードの上にコードが重ね巻きされるようになっているので、コードが曲がったりせず、コードのよれ、折れを防止できる効果がある。
【００７９】
また、本装置によれば、上段と下段でコードを巻き取るようにしているので、装置自体をコンパクトにすることができる効果がある。
【産業上の利用可能性】
【００８０】
本発明は、コードを引き出し方向別に分けて装置内に整然と収納して、コードを引き出す際に、装置内でコードが絡まるのを防ぎ、コードの引き出しを容易に行うことができる巻き取り装置に適している。
【図面の簡単な説明】
【００８１】
【図１】本発明の実施の形態に係る巻き取り装置の斜視図である。
【図２】本装置のしきり板１３の平面図である。
【図３】（ａ）は、本装置のしきり板１３を軸部１１に取り付けた状態を示す斜視図であり、（ｂ）は、ケース２の斜視図である。
【図４】本装置を蓋部１の方向から見た上面図である。
【図５】本装置の分解説明図である。
【図６】本装置の使用状態を示した断面説明図である。
【符号の説明】
【００８２】
１…蓋部、  ２…ケース、  １１…軸部、  １１ａ…係合部、  １２、１２′…切り込み部、  １３…しきり板、  １４…切り欠き部、  １５…溝部、  １６…取り付け孔、  １７…取り付け部、  ２１…上段用導通口、  ２２…下段用導通口、  ２３…固定穴、  ２３ａ…貫通孔、  ２３ｂ…凹部、  ３１…キャップ
【図１】
2006036390.tif 000003
【図２】
2006036390.tif 000004
【図３】
2006036390.tif 000005
【図４】
2006036390.tif 000006
【図５】
2006036390.tif 000007
【図６】
2006036390.tif 000008